(57)【要約】【課題】吐出孔を含めた塗布部材の内部を洗浄しやすい塗布容器を提供する。【解決手段】本発明に係る塗布容器１は、内容物の取出口２ａを有する容器体２と、容器体２に装着されて内容物を塗布可能な塗布部材３とを備え、塗布部材３は、取出口２ａと連通する開孔７ａを挟んで配置されたブラシ７ｃと、開孔７ａを開閉可能な開閉部材８とを有し、開閉部材８は、内容物を吐出させる吐出孔８ｄを有することを特徴とする。【選択図】図２
2018140790.tif 000002
【特許請求の範囲】
【請求項１】
内容物の取出口を有する容器体と、
前記容器体に装着されて前記内容物を塗布可能な塗布部材とを備え、
前記塗布部材は、前記取出口と連通する開孔を挟んで配置されたブラシと、前記開孔を開閉可能な開閉部材とを有し、
前記開閉部材は、前記内容物を吐出させる吐出孔を有することを特徴とする塗布容器。
【請求項２】
前記ブラシは、弾性を有する、請求項１に記載の塗布容器。
【請求項３】
前記開閉部材は、全体として、前記ブラシと異なる色の単一色を有する、請求項１又は２に記載の塗布容器。
【請求項４】
前記取出口をそれぞれ有する２つの取出筒を備え、
前記塗布部材は、前記２つの取出筒に着脱可能なジョイント部材と、前記ジョイント部材に着脱可能なノズル部材と、前記ノズル部材に装着されると共に前記開孔及び前記ブラシを有するブラシ部材とを有し、
前記開閉部材は、前記ブラシ部材に着脱可能であり、
前記ジョイント部材、前記ノズル部材、前記ブラシ部材及び前記開閉部材によって、前記２つの取出口と前記吐出孔とを連通させる流路を形成可能とされた、請求項１〜３のいずれか一項に記載の塗布容器。
【請求項５】
前記容器体は、前記２つの取出筒を備える１つのエアゾール容器である、請求項４に記載の塗布容器。
【請求項６】
前記吐出孔は、一列に並ぶ複数の孔からなる孔列を有する、請求項１〜５のいずれか一項に記載の塗布容器。
【請求項７】
前記開閉部材は、更なるブラシを有する、請求項１〜６のいずれか一項に記載の塗布容器。
【請求項８】
前記更なるブラシは、一列に並ぶ複数の突起からなる突起列を有する、請求項７に記載の塗布容器。
【発明の詳細な説明】
【技術分野】
【０００１】
本発明は、塗布容器に関する。
【背景技術】
【０００２】
例えば毛染め液等の内容物を頭髪に塗布するため等の目的で用いられる塗布容器として、内容物の取出口を有する容器体と、容器体に装着されて内容物を塗布可能な塗布部材とを備えるものが知られている。このような塗布部材は、例えば特許文献１に記載されように、内容物の吐出孔とブラシとを有する塗布部材を備えることがある。
【先行技術文献】
【特許文献】
【０００３】
【特許文献１】特開２００７−３２０６０３号公報
【発明の概要】
【発明が解決しようとする課題】
【０００４】
特許文献１に記載されるような塗布容器は、例えば複数回に分けて使用するため等の目的で、塗布部材を洗浄することがある。その際に、特に、吐出孔を含めた塗布部材の内部を洗浄しやすくできれば都合が良い。
【０００５】
本発明は、このような点に鑑みなされたもので、吐出孔を含めた塗布部材の内部を洗浄しやすい塗布容器を提供することを目的とする。
【課題を解決するための手段】
【０００６】
本発明に係る塗布容器は、
内容物の取出口を有する容器体と、
前記容器体に装着されて前記内容物を塗布可能な塗布部材とを備え、
前記塗布部材は、前記取出口と連通する開孔を挟んで配置されたブラシと、前記開孔を開閉可能な開閉部材とを有し、
前記開閉部材は、前記内容物を吐出させる吐出孔を有することを特徴とする。
【０００７】
また、本発明に係る塗布容器では、前記ブラシは、弾性を有することが好ましい。
【０００８】
また、本発明に係る塗布容器では、前記開閉部材は、全体として、前記ブラシと異なる色の単一色を有することが好ましい。
【０００９】
また、本発明に係る塗布容器は、
前記取出口をそれぞれ有する２つの取出筒を備え、
前記塗布部材は、前記２つの取出筒に着脱可能なジョイント部材と、前記ジョイント部材に着脱可能なノズル部材と、前記ノズル部材に装着されると共に前記開孔及び前記ブラシを有するブラシ部材とを有し、
前記開閉部材は、前記ブラシ部材に着脱可能であり、
前記ジョイント部材、前記ノズル部材、前記ブラシ部材及び前記開閉部材によって、前記２つの取出口と前記吐出孔とを連通させる流路を形成可能とされていることが好ましい。
【００１０】
また、本発明に係る塗布容器では、前記容器体は、前記２つの取出筒を備える１つのエアゾール容器であることが好ましい。
【００１１】
また、本発明に係る塗布容器では、前記吐出孔は、一列に並ぶ複数の孔からなる孔列を有することが好ましい。
【００１２】
また、本発明に係る塗布容器では、前記開閉部材は、更なるブラシを有することが好ましい。
【００１３】
さらに、本発明に係る塗布容器では、前記更なるブラシは、一列に並ぶ複数の突起からなる突起列を有することが好ましい。
【発明の効果】
【００１４】
本発明によれば、吐出孔を含めた塗布部材の内部を洗浄しやすい塗布容器を提供することができる。
【図面の簡単な説明】
【００１５】
【図１】本発明の第１実施形態に係る塗布容器の正面図である。
【図２】（ａ）は、図１のＡ−Ａ線に沿う一部断面側面図である。（ｂ）は、（ａ）の矢印Ｂに沿って視た平面図である。
【図３】図１に示す塗布容器の側面図であり、塗布部材を容器体から離脱させた状態を示す。
【図４】図１に示す塗布部材を示す側面図であり、ノズル部材とブラシ部材との組立体から、開閉部材及びジョイント部材をそれぞれ離脱させた状態を示す。
【図５】図１に示す塗布部材を構成するジョイント部材を示す縦断面図であり、成形時の状態を示す。
【図６】本発明の第２実施形態に係る塗布容器の正面図である。
【図７】（ａ）は、図６のＣ−Ｃ線に沿う一部断面側面図である。（ｂ）は、（ａ）の矢印Ｄに沿って視た平面図である。
【図８】図６に示す塗布容器の側面図であり、塗布部材を容器体から離脱させた状態を示す。
【図９】（ａ）は、図６に示す塗布部材を示す側面図であり、ノズル部材とブラシ部材との組立体から、開閉部材及びジョイント部材をそれぞれ離脱させた状態を示す。（ｂ）は、（ａ）に示すノズル部材の背面図である。
【発明を実施するための形態】
【００１６】
以下、図面を参照して、本発明の一実施形態に係る塗布容器について詳細に例示説明する。なお、本明細書において、塗布容器の上下方向とは、塗布容器を起立させたときの上下方向を意味する。また、塗布容器の正面とは、塗布容器の側面のうち、ブラシが配置された側の側面を意味し、背面とは、その反対側の側面を意味する。
【００１７】
まず、図１〜図５を参照して、本発明の第１実施形態に係る塗布容器１について詳細に例示説明する。本実施形態に係る塗布容器１は、例えばクリーム状の毛染め液等の内容物を頭髪に塗布するため等の目的で用いられるものである。なお、内容物はクリーム状に吐出されるものに限られず、例えば泡状に吐出されるものであってもよい。また、内容物は毛染め液に限られない。また、内容物の塗布対象は、頭髪に限られず、その他の毛髪等であってもよいし、毛髪以外のものであってもよい。図１に示すように、塗布容器１は、内容物の取出口２ａを有する容器体２と、容器体２に装着されて内容物を塗布可能な塗布部材３とを備えている。本例では、容器体２には固定盤４が装着されている。また、本例では、塗布部材３は、ジョイント部材５と、ノズル部材６と、ブラシ部材７と、開閉部材８とを有している。
【００１８】
図１、図２に示すように、容器体２は、本例では、内容物の取出口２ａをそれぞれ有する２つの取出筒２ｂを備える１つのエアゾール容器であり、取出筒２ｂを下方に押下げることで開弁させて、封入された加圧媒体のガス圧で内容物を取出筒２ｂの取出口２ａから流出させることができる。本例では、２つの取出口２ａから流出する内容物は、互いに異なる成分を有しており、この２種類の内容物を互いに混合することで、毛染め等の目的に応じた効果を発現するようになっている。しかし、２つの取出口２ａから互いに同じ成分の内容物を流出させる構成としてもよい。また、容器体２は、１つの取出筒２ｂをそれぞれ有する２つのエアゾール容器で構成してもよい。さらに、容器体２は、エアゾール容器に限らず、例えば、取出筒を下方に押下げることで内容物を取出筒の取出口から流出させるポンプを有する容器で構成してもよいし、容器をスクイズ（圧搾）することで内容物を取出筒の取出口から流出させることができるスクイズ容器で構成してもよい。
【００１９】
容器体２は、有底円筒状の外容器２ｃにおけるテーパ状をなす上部に、マウンティングカップの巻締めによって形成された径方向に円環状に突出する環状凸部２ｄを有している。環状凸部２ｄの上方には、環状凸部２ｄより縮径した略円筒状の外周面を有する環状突出部２ｅが連なっている。環状突出部２ｅの上方には、環状突出部２ｅの直径と同じ長さの長軸を有する上面視略長円形状の上部突起２ｆが連なっている。上部突起２ｆの上面には、その長軸方向に２つの取出筒２ｂが並べて配置されている。
【００２０】
固定盤４は、円環状の外周壁４ａを有している。外周壁４ａには径方向内側に延び、環状凸部２ｄの上面に当接する円環状の内向きフランジ４ｂが連なっている。外周壁４ａにおける内向きフランジ４ｂより下方の部分には、環状凸部２ｄの下部に係止する係止突起４ｃが設けられている。このように、固定盤４は、内向きフランジ４ｂと係止突起４ｃとを介して、環状凸部２ｄに上下方向に抜け止め保持されている。内向きフランジ４ｂの内周縁には、円筒状の内壁４ｄが立設されている。内壁４ｄの上端には、上部突起２ｆにおける長軸を挟む両側面とその下方に連なる環状突出部２ｅの上面とに当接する一対の位置決め片４ｅが連なっている。したがって、固定盤４は、一対の位置決め片４ｅを介して、上部突起２ｆに対する周方向の回転を阻止されている。図３に示すように、外周壁４ａの両側面には、それぞれ、上下方向に延びる長軸を有する側面視略長円形状の係合窓４ｆが設けられている。なお、本例では、固定盤４は、樹脂の射出成形によって形成されている。
【００２１】
ジョイント部材５は、図１、図２に示すように、取出筒２ｂにそれぞれ嵌合する２つの嵌合筒５ａを有している。嵌合筒５ａの径方向内側には、取出筒２ｂの上面に当接すると共に中央に取出口２ａと連通する貫通孔を有する当接壁５ｂが連なっている。２つの嵌合筒５ａの上端は、底壁５ｃの下面に連なっている。底壁５ｃの外周縁には、２つの嵌合筒５ａが並ぶ方向に延びる長軸を有する上面視略長円形状をなす筒状の周壁５ｄが垂設されている。周壁５ｄの下端には径方向外側に延びるフランジ壁５ｅが連なっている。フランジ壁５ｅの外周縁には、円筒状の下筒５ｆが垂設されている。下筒５ｆの下端には、径方向外側に円環状に突出する鍔部５ｇが設けられ下筒５ｆ及び鍔部５ｇは、固定盤４における外周壁４ａと内壁４ｄとの間に形成された円環状の隙間に配置されている。底壁５ｃにおける前方部分には、係止爪５ｈが立設されている。底壁５ｃの上面には、２つの嵌合筒５ａが並ぶ方向に延びる長軸を有する上面視略長円形状をなす筒状の嵌合周壁５ｉが立設されている。嵌合周壁５ｉは、上面視で、２つの嵌合筒５ａの開口を取り囲むように配置されている。嵌合周壁５ｉには、その径方向外側から筒壁５ｊが嵌合している。筒壁５ｊは嵌合周壁５ｉと同様の上面視略長円形状をなしている。筒壁５ｊにおける後方部分と、底壁５ｃにおける後方部分とは、折り返されたヒンジ５ｋを介して連なっている。筒壁５ｊにおける前方部分には、係止爪５ｈが挿入、係止される係止孔５ｌを有する係止片５ｍが前方に向けて突設されている。
【００２２】
本例では、ジョイント部材５は、樹脂の射出成形によって形成されている。そして、ジョイント部材５は、その成形時においては、図５に示すように、ヒンジ５ｋが平面状に延びている。ジョイント部材５は、ヒンジ５ｋを折り返し、筒壁５ｊを嵌合周壁５ｉに嵌合させると共に係止爪５ｈを係止孔５ｌに係止させることで、図１、図２、図４に示すように、使用時の形状に変形させることができる。
【００２３】
ノズル部材６は、図１、図２に示すように、ジョイント部材５の筒壁５ｊに径方向内側から嵌合する嵌合壁６ａを有している。嵌合壁６ａは、筒壁５ｊと同様の上面視略長円形状をなしている。嵌合壁６ａの上端には、径方向外側に延びると共に筒壁５ｊの上端に当接する上壁６ｂが連なっている。上壁６ｂの外周縁には、円筒状の外壁６ｃが垂設されている。外壁６ｃにおける両側面の下端部には、それぞれ、上下方向に延びるスリット６ｄが設けられている。スリット６ｄには、それぞれ、ジョイント部材５の下筒５ｆの側面に設けられた上下方向に延びる縦リブ５ｎが挿入されている（図３参照）。また、外壁６ｃの両側面には、それぞれ、逆Ｕ字状の切欠きによって形成された操作片６ｅが設けられている。操作片６ｅには、それぞれ、径方向外側に突出する側面視円形状の押圧部６ｆが設けられている。押圧部６ｆは、固定盤４の係合窓４ｆ内に上下動可能に嵌合している（図１参照）。上壁６ｂにおける背面側部分には、上方に突出する押下げ操作部６ｇが設けられている。
【００２４】
上壁６ｂの内周縁及び嵌合壁６ａの上端には、略円筒状のノズル６ｈが立設されている。ノズル６ｈの上端には、上方に向かって後方に傾く底壁６ｉが連なっている。底壁６ｉは、前方やや上方から視たときに（すなわち、図２（ａ）における矢印Ｂに沿って視たときに）縦長の略長方形状をなすと共に、ノズル６ｈの上端との連結部分より外側のみに形成されている。すなわち、ノズル６ｈの上端には上端開口６ｊが形成されている。底壁６ｉの外周縁近傍には、底壁６ｉの外周縁に沿って配置されると共に底壁６ｉから垂直に延びる周状突起６ｋが設けられている。周状突起６ｋの内側には、間隔を空けて複数の補強リブ６ｌが配置されている。なお、本例では、ノズル部材６は、樹脂の射出成形によって形成されている。
【００２５】
ブラシ部材７は、図２に示すように、開孔７ａを有する頂壁７ｂを有している。頂壁７ｂの外形及び開孔７ａは、前方やや上方から視たときに（すなわち、図２（ａ）における矢印Ｂに沿って視たときに）縦長の略長方形状をなしている。また、頂壁７ｂの前面（上面）には、開孔７ａを挟んでブラシ７ｃが配置されている。ブラシ７ｃは、本例では、開孔７ａを挟んで配置された一対の突起列からなっている。当該一対の突起列は、それぞれ、一列に並ぶ複数の突起からなっている。また、各突起は、先細となる略円柱状をなしている。なお、ブラシ７ｃは、開孔７ａを挟んで配置されている限り、ブラシ７ｃを構成する突起の数や形状、配置等を適宜変更することができる。また、頂壁７ｂの背面（下面）には、ノズル部材６の周状突起６ｋに外側から嵌合する外周突起７ｄと、周状突起６ｋに内側から嵌合する内周突起７ｅとが周設されている。
【００２６】
本例では、ブラシ部材７は、例えばゴム、熱可塑性エラストマー等の弾性材料の射出成形によって形成されている。そして、ブラシ７ｃは、頭髪等の毛髪を梳く際に毛髪を滑らかに通過させる弾性を有している。
【００２７】
開閉部材８は、ブラシ部材７の頂壁７ｂの前面（上面）に、開孔７ａの全周に亘って当接する基板８ａを有している。基板８ａの背面（下面）には、開孔７ａに挿入されて、開孔７ａの内周縁に嵌合する装着周壁８ｂが基板８ａと垂直に垂設されている。装着周壁８ｂの先端縁は、全周に亘って底壁６ｉに当接している。装着周壁８ｂの外周面には、図４に示すように、両側部、上部及び下部に、開孔７ａの内周縁に係止する係合凸部８ｃが設けられている。また、基板８ａには、装着周壁８ｂの内側部分において基板８ａを貫通する吐出孔８ｄが設けられている。
【００２８】
本例では、吐出孔８ｄは、一対の孔列からなっている。当該一対の孔列は、それぞれ、一列に並ぶ複数（本例では６つ）の孔からなっている。なお、吐出孔８ｄは、内容物を吐出できる限り、吐出孔８ｄを構成する孔の数や形状、配置等を適宜変更することができる。また、本例では、開閉部材８は、全体として、ブラシ部材７と異なる色の単一色を有している。より具体的には、ジョイント部材５、ノズル部材６、ブラシ部材７及び開閉部材８は、それぞれ、全体として単一色を有しており、それらの単一色は互いに異なる色となっている。また、基板８ａの上端部８ｅは、ブラシ部材７の頂壁７ｂの上端縁から外側に突出している。さらに、基板８ａの下端部８ｆは、ブラシ部材７の頂壁７ｂの下端縁から外側に突出している。
【００２９】
図３に示すように、ジョイント部材５は、２つの取出筒２ｂに着脱可能である。また、図４に示すように、ノズル部材６はジョイント部材５に着脱可能である。また、開閉部材８は、ノズル部材６に装着されたブラシ部材７に着脱可能である。なお、本例では、ブラシ部材７は、内容物を塗布する際にノズル部材６から脱落しない程度に、比較的強固にノズル部材６に嵌合している。そして、本例では、ジョイント部材５、ノズル部材６、ブラシ部材７及び開閉部材８によって、２つの取出口２ａと吐出孔８ｄとを連通させる流路９を形成可能とされている。より具体的には、容器体２に塗布部材３が装着された状態では、開閉部材８をブラシ部材７に装着するか、装着しないか（すなわち、開閉部材８によって開孔７ａを開くか、閉じるか）に関わらず、開孔７ａは取出口２ａと連通している。そして、開閉部材８で開孔７ａを閉じたときは、開閉部材８の吐出孔８ｄが開孔７ａと連通するので吐出孔８ｄから内容物を吐出することができる。
【００３０】
本実施形態に係る塗布容器１によれば、押下げ操作部６ｇを押下げることで、２つの取出筒２ｂが押下げられ、その取出口２ａから２種類の内容物が流出し、流路９を通じて吐出孔８ｄから吐出される。したがって、開閉部材８の基板８ａ上に保持できる程度の適量の内容物を吐出させてから頭髪等の毛髪をブラシ７ｃで梳くことにより、２種類の内容物を毛髪に塗布し、引延ばしつつ混合させることができる。また、毛髪をブラシ７ｃで梳きながら押下げ操作部６ｇを押下げて内容物を吐出させてもよい。
【００３１】
そして、使用後の塗布部材３の洗浄に際しては、まず、押圧部６ｆを押圧して係合窓４ｆとの係合を外すことで、図３に示すように、塗布部材３を容器体２から上方に離脱させることができる。そして、図４に示すように、ジョイント部材５をノズル部材６から離脱させ、図５に示すようにヒンジ５ｋを介して開くことで、例えば蛇口から出る水道水や洗面器に溜めた水等によって、容易に洗浄することができる。また、図４に示すように、開閉部材８を、ノズル部材６に装着されたブラシ部材７から離脱させることで、ブラシ部材７の広い開孔７ａを通じて、容易にノズル部材６の内部を洗浄することができる。また、開閉部材８を離脱させることで、開閉部材８に設けられた吐出孔８ｄを表裏から容易に洗浄することができる。
【００３２】
また、開閉部材８を離脱させる際には、基板８ａの上端部８ｅ及び／又は下端部８ｆに指を掛けることで、容易にノズル部材６から開閉部材８を取外すことができる。また、開閉部材８は全体としてブラシ部材７と異なる色の単一色を有しているので、開閉部材８がブラシ部材７と別部品であり、ノズル部材６から離脱可能であることを、ユーザーに視覚的に知覚させることができる。
【００３３】
次に、図６〜図９を参照して、本発明の第２実施形態に係る塗布容器１’について詳細に例示説明する。図６〜図９に示すように、本実施形態に係る塗布容器１’は、前述した第１実施形態に係る塗布容器１と比べると、開閉部材８’及びノズル部材６’の構成が異なる他は、同一の構成を有している。
【００３４】
本実施形態では、開閉部材８’は、図６、図７に示すように、付加的ブラシ（更なるブラシ）８ｇを有している。本例では、付加的ブラシ８ｇは、基板８ａの前面（上面）に配置された一対の突起列からなっている。当該一対の突起列は、それぞれ、一列に並ぶ複数（本例では６つ）の突起からなっている。また、各突起は、先細となる略円柱状をなしている。また、各突起列における突起は、吐出孔８ｄを構成する孔と交互に配置されている。なお、付加的ブラシ８ｇを構成する突起の数や形状、配置等は、適宜変更が可能である。開閉部材８’のその他の構成は、第１実施形態の場合と同一である。
【００３５】
また、ノズル部材６’は、図９（ｂ）に示すように、外壁６ｃ’の背面部における下端に半円状の切欠き６ｍが設けられている。また、外壁６ｃ’の前面部における下端にも、同様に、半円状の切欠き６ｎが設けられている。ノズル部材６’のその他の構成は、第１実施形態の場合と同一である。
【００３６】
したがって、本実施形態に係る塗布容器１’によれば、第１実施形態の場合と同様の効果を得られる上に、次のような効果も得ることができる。まず、開閉部材８’が付加的ブラシ８ｇを有していることにより、内容物のよりきめの細かい塗布が可能となる。また、塗布部材３’の洗浄に際しては、切欠き６ｍ及び／又は切欠き６ｎに指を掛けることにより、ノズル部材６’をジョイント部材５から容易に離脱させることができる。
【００３７】
以上、本発明の一実施形態について説明したが、前述したところは本発明の実施形態の一例を示したにすぎず、発明の要旨を逸脱しない限り、種々の変更を加えてよいことは言うまでもない。
【００３８】
例えば、前述した第１実施形態及び第２実施形態においては、塗布部材の内部に、２つの取出口に連通する１つの流路が形成されていたが、例えば、取出口にそれぞれ連通する２つの流路が形成されるように構成してもよい。この場合、２種類の内容物が塗布部材の内部で混合されるのを回避できるので、そのような内部での混合が好ましくない成分の内容物を用いる場合には好適である。また、その逆に、内部での混合が好ましい成分の内容物を用いる場合には、例えば、ノズル部材の内部に、内容物の混合を促進するためにらせん状の流路を形成する羽根状部材を配置してもよい。
【００３９】
ブラシ部材は剛性材料によって形成してもよい。また、開閉部材は、全体として、ブラシ部材と同じ色の単一色を有していてもよい。容器体の取出筒（及びジョイント部材の嵌合筒）は１つであってもよいし、３つ以上であってもよい。また、塗布部材は、ジョイント部材、ノズル部材、ブラシ部材及び開閉部材の４つの部品からなる構成に限られない。その他、種々の変更が可能である。
【符号の説明】
【００４０】
１、１’  塗布容器
２    容器体
２ａ  取出口
２ｂ  取出筒
２ｃ  外容器
２ｄ  環状凸部
２ｅ  環状突出部
２ｆ  上部突起
３、３’  塗布部材
４    固定盤
４ａ  外周壁
４ｂ  内向きフランジ
４ｃ  係止突起
４ｄ  内壁
４ｅ  位置決め片
４ｆ  係合窓
５    ジョイント部材
５ａ  嵌合筒
５ｂ  当接壁
５ｃ  底壁
５ｄ  周壁
５ｅ  フランジ壁
５ｆ  下筒
５ｇ  鍔部
５ｈ  係止爪
５ｉ  嵌合周壁
５ｊ  筒壁
５ｋ  ヒンジ
５ｌ  係止孔
５ｍ  係止片
５ｎ  縦リブ
６、６’  ノズル部材
６ａ  嵌合壁
６ｂ  上壁
６ｃ、６ｃ’  外壁
６ｄ  スリット
６ｅ  操作片
６ｆ  押圧部
６ｇ  押下げ操作部
６ｈ  ノズル
６ｉ  底壁
６ｊ  上端開口
６ｋ  周状突起
６ｌ  補強リブ
６ｍ  切欠き
６ｎ  切欠き
７    ブラシ部材
７ａ  開孔
７ｂ  頂壁
７ｃ  ブラシ
７ｄ  外周突起
７ｅ  内周突起
８、８’  開閉部材
８ａ  基板
８ｂ  装着周壁
８ｃ  係合凸部
８ｄ  吐出孔
８ｅ  基板の上端部
８ｆ  基板の下端部
８ｇ  付加的ブラシ（更なるブラシ）
９    流路
【図１】
2018140790.tif 000003
【図２】
2018140790.tif 000004
【図３】
2018140790.tif 000005
【図４】
2018140790.tif 000006
【図５】
2018140790.tif 000007
【図６】
2018140790.tif 000008
【図７】
2018140790.tif 000009
【図８】
2018140790.tif 000010
【図９】
2018140790.tif 000011